(57)【要約】【課題】運送品への取り付けにおいて、電源の投入を確実に保証でき、データの改竄が困難で、しかも再利用の可能なデータロガー及びデータロガー装置を提供すること。【解決手段】ケース３１、３２の内部に電子回路１１〜１６及びスイッチ２１が収納されている。スイッチ２１は、電子回路１１〜１６への電源の供給を開閉するものであって、専用のスイッチ駆動子５との組み合わせによって、ケース３１、３２の外部から開閉される。ホルダ４０は、データロガー１０を着脱することが可能であって、スイッチ駆動子５を含んでいる。スイッチ駆動子５は、データロガー１０が装着されたとき、スイッチ２１をオンにする。【選択図】図５
2007170847.tif 000002
【特許請求の範囲】
【請求項１】
電子回路と、スイッチと、ケースとを含むデータロガーであって、
前記電子回路及び前記スイッチは、前記ケースの内部に収納されており、
前記スイッチは、前記電子回路への電源の供給を開閉するものであって、専用のスイッチ駆動子との組み合わせによって、前記ケースの外部から開閉される、
データロガー。
【請求項２】
請求項１に記載されたデータロガーであって、
前記電子回路は、センサと、メモリと、電池とを含み、
前記センサは、物理量を検出するものであり、
前記メモリは、前記センサによって検出された信号を記憶するものであり、
前記電池は、前記センサ及び前記メモリに電源を供給するものである、
データロガー。
【請求項３】
請求項２に記載されたデータロガーであって、
更に、外部接続部を含み、前記外部接続部は、前記メモリに記憶された情報を外部に取り出すために用いられる、データロガー。
【請求項４】
請求項１乃至３の何れかに記載されたデータロガーであって、前記物理量は、温度、湿度又は衝撃の少なくとも一種を含む、データロガー。
【請求項５】
請求項1乃至４の何れかに記載されたデータロガーであって、前記スイッチは磁気応動スイッチである、データロガー。
【請求項６】
請求項１乃至４の何れかに記載されたデータロガーであって、前記スイッチは機械的接点を有している、データロガー。
【請求項７】
データロガーと、ホルダとを含むデータロガー装置であって、
前記データロガーは、電子回路と、スイッチと、ケースとを含んでおり、
前記スイッチは、前記電子回路への電源の供給を開閉するものであり、
前記ケースは、前記スイッチ及び前記電子回路を支持するものであり、
前記ホルダは、前記データロガーを着脱することが可能であって、スイッチ駆動子を含んでおり、前記スイッチ駆動子は、前記データロガーが装着されたとき、前記スイッチをオンにする、
データロガー装置。
【請求項８】
請求項７に記載されたデータロガー装置であって、
前記電子回路は、センサと、メモリと、電池とを含み、
前記センサは、物理量を検出するものであり、
前記メモリは、前記センサによって検出された信号を記憶するものであり、
前記電池は、前記センサ及び前記メモリに電源を供給するものである、
データロガー装置。
【請求項９】
請求項８に記載されたデータロガー装置であって、
更に、外部接続部を含み、前記外部接続部は、前記メモリに記憶された情報を外部に取り出すために用いられる、データロガー装置。
【請求項１０】
請求項７乃至９の何れかに記載されたデータロガー装置であって、前記物理量は、温度、湿度又は衝撃の少なくとも一種を含む、データロガー装置。
【請求項１１】
請求項７乃至１０の何れかに記載されたデータロガー装置であって、前記スイッチは磁気応動スイッチであり、前記スイッチ駆動子はマグネットを含む、データロガー装置。
【請求項１２】
請求項７乃至１０の何れかに記載されたデータロガー装置であって、前記スイッチは機械的接点を有しており、前記スイッチ駆動子は前記機械的接点を押圧する突起を含む、データロガー装置。
【請求項１３】
請求項７乃至１２の何れかに記載されたデータロガー装置であって、前記ホルダは、運送品に装着するための粘着部を有する、データロガー装置。
【発明の詳細な説明】
【技術分野】
【０００１】
本発明は、物流管理システムにおいて用いられるデータロガー及びデータロガー装置に関する。
【背景技術】
【０００２】
物流管理システムにおいて、運送途中に発生する衝撃により運送品が破損したり、温度もしくは湿度によって運送品の品質が劣化するなどの事故を生じることがある。このような場合、債務不履行の問題を生じることがあり、そのような場合、責任の所在を明らかにする必要が生じる。また運送方法上の問題点を把握して、その改善に資するという観点から、運送過程のどの部分で、上述した問題点が生じたのかを明らかにする必要もある。その手段として、例えば、特許文献１〜３に開示されているように、運送品にデータロガーを取り付け、運送全過程を通して、衝撃、温度、及び、湿度などを所定の時間間隔をおいて検出し、検出された情報をメモリに記憶し、メモリの記憶内容を、荷受人がコンピュータシステムを用いて読み出し、解析するシステムが知られている。
【０００３】
ところで、データロガーを用いた物流管理システムにおいて、データロガーの実用性、信頼性及び経済性を確保するためには、データロガー自体の構造として、荷送人が運送品にデータロガーを取り付けた際に、作動開始を決定付ける電源スイッチが、確実にオンになっていることを保証できる機構であること、運送の途中で，メモリに蓄積されたデータが、改竄されえない構造であること、荷受人がデータロガーを運送品から簡単に取り外して、メモリ内容の読出し及び解析を、容易に実行できること、更に、経済的側面からデータロガーが再利用できることなどの要求を満たす必要がある。
【０００４】
しかし、上述した問題点を同時に解決することは、その本質から見て必ずしも容易ではない。たとえば、改竄されえない構造として、データロガーを取り外しできないように、運送品に固着して取り付けたとすると、取り付け後、電源スイッチを入れたか否かが不安になった場合は、データロガーを、一部分にせよ、破壊しなければならなくなることがあり，再利用が困難になる。
【０００５】
そのような問題を回避するため、電源スイッチを入れたか否か、不確実であったが、そのままにしておいたところ、実際に電源スイッチが入っていなかったという場合には、データロガーを用いたことが無意味に帰する。また、荷受人がデータロガーを運送品から取り外す作業も容易ではない。
【０００６】
ＬＥＤなどを用いて、電源投入を外部から視覚的に認識できる構造とすることも考えられるが、電池の消耗を最小に抑えなければならないこの種のデータロガー装置には適していない。
【特許文献１】特開２００５−８３７０９号公報
【特許文献２】特開２０００−３０２２１１号公報
【特許文献３】特開２００１−３２５３３号公報
【発明の開示】
【発明が解決しようとする課題】
【０００７】
本発明の課題は、運送品への取り付けにおいて、電源の投入を確実に保証し得るデータロガー及びデータロガー装置を提供することである。
【０００８】
本発明のもう一つの課題は、データ改竄の困難なデータロガー及びデータロガー装置を提供することである。
【０００９】
本発明の更にもう一つの課題は、再利用の可能なデータロガー及びデータロガー装置を提供することである。
【課題を解決するための手段】
【００１０】
上述した課題を解決するため、本発明に係るデータロガーは、電子回路と、スイッチと、ケースとを含む。前記電子回路及び前記スイッチは、前記ケースの内部に収納されている。前記スイッチは、前記電子回路への電源の供給を開閉するものであって、専用のスイッチ駆動子との組み合わせによって、前記ケースの外部から開閉される。
【００１１】
本発明に係るデータロガーは、専用のホルダと組み合わされて用いられる。ホルダは、データロガーを着脱することが可能であって、スイッチ駆動子を含んでいる。前記スイッチ駆動子は、前記データロガーが装着されたとき、前記スイッチをオンにする。
【００１２】
物流管理システムへの適用に当たっては、まず、ホルダを運送品の適当な箇所に取り付ける。取り付け手段として、最も簡便で、確実な方法は、両面粘着テープなどを用いることである。
【００１３】
上述のようにして、運送品に取り付けられたホルダに、データロガーを装着する。データロガーは、ホルダへの装着前は、スイッチはオフ状態にあり、従って、電子回路は不動作状態にあるが、ホルダにデータロガーを装着した瞬間に、ホルダに備えられた専用のスイッチ駆動子により、データロガーのスイッチがオンになり、電子回路が動作を開始する。従って、荷送人が運送品にデータロガーを取り付けた際に、作動開始を決定付ける電源スイッチが、確実にオンになっていることを保証することができる。
【００１４】
また、データロガーのスイッチは、ホルダに備えられた専用のスイッチ駆動子との組み合わせによって開閉されるものであるから、専用のスイッチ駆動子がなければ、運送の途中で，蓄積されたデータを、改竄することができない。仮に、データの改竄のために、データロガーをホルダーから取り外したりすると、その取り外しの瞬間にデータロガーのスイッチがオフになり、内部の電子回路が不動作状態になるとともに、スイッチのオフが履歴データとして記録されてしまう。
【００１５】
更に、ホルダは、データロガーを着脱することが可能であるから、荷受人がデータロガーをホルダから簡単に取り外して、データの読出し及び解析を、容易に実行できるし、その後、データロガーを再利用に供することができる。
【００１６】
データロガーの構成部分のうち、スイッチを除く部分は、従来より知られている技術をそのまま適用できる。一般には、電子回路は、センサと、メモリと、電池とを含む。センサは、物理量を検出する。物理量は、温度、湿度又は衝撃の少なくとも一種を含むのが普通である。
【００１７】
更に、データロガーは、外部接続部を含む。外部接続部（ＵＳＢ)は、メモリに記憶された情報を外部に取り出すために用いられる。
【００１８】
ホルダについては、運送品に対して取り付け側となる面に、両面接着(粘着）テープを貼り付けておくことが好ましい。
【発明の効果】
【００１９】
以上述べたように、本発明によれば、次のような効果を得ることができる。
（ａ）運送品への取り付けにおいて、電源の投入を確実に保証し得るデータロガー及びデータロガー装置を提供することができる。
（ｂ）データ改竄の困難なデータロガー及びデータロガー装置を提供することができる。
（ｃ）再利用の可能なデータロガー及びデータロガー装置を提供することができる。
【発明を実施するための最良の形態】
【００２０】
図１は本発明に係るデータロガーの分解斜視図、図２は図１に示したデータロガーの組立状態における斜視図、図３は図２の部分断面図である。図を参照すると，データロガーは、電子回路１１〜１６と、スイッチ２１と、ケース３１、３２とを含む。電子回路１１〜１６及びスイッチ２１は、ケース３１、３２の内部に収納されている。スイッチ２１は、電子回路１１〜１６への電源の供給を開閉するものであって、専用のスイッチ駆動子との組み合わせによって、ケース３１、３２の外部から開閉される。
【００２１】
スイッチ２１としては、その要求機能を満たす限り、光スイッチ、磁気応動スイッチ、機械的接点を用いたスイッチなど、各種のタイプのものを用いることができる。
【００２２】
データロガーの構成部分のうち、電子回路１１〜１６は、従来より知られている技術をそのまま適用できる。電子回路１１〜１６は、一般には、センサ１１〜１３と、メモリ１４と、ＣＰＵ１５と、電池１６とを含む。センサ１１〜１３は、物理量を検出する。物理量は、温度、湿度又は衝撃の少なくとも一種を含むのが普通である。これらの物理量を測定するセンサ、即ち、温度センサ１１、湿度センサ１２及び衝撃センサ１３等をケース３１、３２の内部に配置する。温度や湿度を検出する場合は、ケース３１の側面などの適当な位置に、通気孔３４を設けておくとよい。
【００２３】
メモリ１４は、読出し可能であり、半導体メモリなどによって構成される。ＣＰＵ１５は、温度センサ１１、湿度センサ１２及び衝撃センサ１３からの信号を、メモリ１４に書き込むための回路や、記憶された情報を読み出す回路や、外部とのインターフェース回路など、この種のデータロガーとして必要な回路部分を含む。電池１６としては、扁平な電池が適している。この実施例では、コイン型のリチウム電池を用いた例を示している。電池１６は、陽極側を押さえるバンドの金属端子１６１によって、回路基板１８１に固定されている。
【００２４】
センサ１１〜１３、メモリ１４、ＣＰＵ１５、及び電池１６は、回路基板１８１の一面上に搭載され、はんだ付けなどの手段によって、所与の導体パターンに固定されている。回路基板１８１の他面側には、スイッチ２１が取り付けられている。回路基板１８１は、例えばねじなどの結合具１８２によって、ケース３１の底面から間隔を隔てて支持されており、回路基板１８１とケース３１の底面との間に生じる間隔にスイッチ２１が配置されている。
【００２５】
更に、データロガーは、外部接続部（USB)１７を含む。外部接続部１７は、メモリ１４に記憶された情報を外部に取り出すために用いられる。情報の読出しは、データロガーの外部接続部１７を、例えばパソコンの所定のコネクタに接続することによって行われる。外部接続部１７は、ケース３２に設けられた切欠３３(図１参照）から外部に導出されている。
【００２６】
本発明に係るデータロガーは、専用のホルダと組み合わされ、データロガー装置を構成する。次に、図４〜図６を参照し、データロガー１０とホルダ４０との組み合わせに係るデータロガー装置について説明する。図４は、データロガー１０をホルダ４０に組み込む前の状態を示す斜視図、図５は、データロガー１０をホルダ４０に組み込んだデータロガー装置の斜視図、図６は、図５に示したデータロガー装置の部分断面図である。図６の部分断面図は、主として、内部構造を示すために用いられたもので、断面位置は一様ではない。
【００２７】
図４〜図６を参照すると、ホルダ４０は、プラスチックなどの成形品であって、データロガー１０を着脱することが可能な構造を有する。その具体的構造として、ホルダ４０は、底面４１の一端に間隔を隔てて、２つの弾性フック４２、４３を有しており、フック４２、４３と向き合う他端に固定用フック４４を設けた構造となっている。更に、底面４１のうち、フック４２〜４４を設けた端縁と隣接する２つの端縁に、脱落防止用の突起４５、４６を設けてある。もっとも、ホルダ４０は、データロガー１０を着脱することが可能であればよいので、実施例に示す構造に限定されない。
【００２８】
ホルダ４０に対するデータロガー１０の装着に当たっては、弾性フック４２、４３の弾力性を利用して、弾性フック４２、４３と、固定用フック４４との間にデータロガー１０を差し込む。差し込まれた後のデータロガー１０は、フック４２〜４４からの弾力を受けてホルダ１０の底面４１に押し付けられる。また、突起４５、４６によって、脱落が防止される。
【００２９】
ホルダ４０は、その特徴部分として、スイッチ駆動子５を含んでいる。図示実施例のスイッチ駆動子５は、ホルダ４０の底面４１に配置され、データロガー１０がホルダ４０に装着されたとき、スイッチ２１をオンにする。スイッチ駆動子５は、データロガー１０のスイッチ２１の種類に応じて自ずと決まる。例えば、スイッチ２１として、リードスイッチや感磁素子などの磁気応動スイッチを用いた場合は、ホルダ４０のスイッチ駆動子５はマグネットによって構成できる。図は、その例を示している。スイッチ駆動子５は、外部からの不正操作を回避するため、目立たないように配置することが好ましい。図の実施例ではスイッチ駆動子５を構成するマグネットを、ホルダ４０の底部に埋め込んである。
【００３０】
ホルダ４０において、運送品に対して取り付け側となる面に、両面接着(粘着）テープ４７を貼り付けておくことが好ましい。
【００３１】
次に、上述したデータロガー装置について、物流管理システムへの適用例を、図７〜図９を参照して説明する。物流管理システムへの適用に当たっては、図７に図示するように、まず、ホルダ４０を運送品６の適当な箇所に取り付ける。
【００３２】
次に、図７、図８に示すように、運送品６に取り付けられたホルダ４０に、矢印Ｆ１で示すように、データロガー１０を差し込み、装着する。この作業は、荷送人によって行われる。データロガー１０は、ホルダ４０への装着前は、スイッチ２１はオフ状態にあり、従って、電子回路１１〜１６は不動作状態にあるが、ホルダ４０にデータロガー１０を装着した瞬間に、ホルダ４０に備えられた専用のスイッチ駆動子５により、データロガー１０のスイッチ２１がオンになり、電子回路１１〜１６が動作を開始する。従って、荷送人が運送品６にデータロガー１０を取り付けた際に、作動開始を決定付ける電源スイッチ２１が、確実にオンになっていることを保証することができる。
【００３３】
また、データロガー１０のスイッチ２１は、ホルダ４０に備えられた専用のスイッチ駆動子５との組み合わせによって開閉されるものであるから、専用のスイッチ駆動子５がなければ、運送の途中で蓄積されたデータを、改竄することができない。仮に、データの改竄のために、データロガー１０をホルダ４０から取り外したりすると、その取り外しの瞬間にデータロガー１０のスイッチ２１がオフになり、内部の電子回路１１〜１６が不動作状態になるとともに、スイッチ２１のオフが履歴データとして記録されてしまうから、改竄の牽制になる。
【００３４】
上述のようにして、ホルダ４０に、データロガー１０を装着した状態で、運送品６が運送され、その運送過程における温度、湿度及び衝撃などが、センサ１１〜１３によって検出され、メモリ１４に蓄積される。
【００３５】
データロガー装置を取り付けてある運送品６は、荷受人に受け取られ、図９に示すように、データロガー１０がホルダ４０から取り外される(矢印Ｆ２)。取り外されたデータロガー１０は、パソコンなどに装填され、メモリ１４に蓄積されたデータが、読み出される。ホルダ４０は、データロガー１０を着脱することが可能であるから、荷受人がデータロガー１０をホルダ４０から簡単に取り外して、データの読出し及び解析を、容易に実行できるし、その後、データロガー１０を再利用に供することができる。
【００３６】
図１０は本発明に係るデータロガー装置の別の実施例を示す部分断面図である。図において、図１〜図９に現れた構成部分に相当する部分については同一の参照符号を付してある。この実施例は、データロガー１０のスイッチ２１として、マイクロスイッチなどの機械的接点を有するものを用いた場合を示している。上述したスイッチ２１の構造に対応して、ホルダ４０には突起によるスイッチ駆動子５を設けてある。
【００３７】
ホルダ４０に、データロガー１０を装着する前は、スイッチ２１はオフ状態にあり、従って、電子回路１１〜１６は不動作状態にあるが、ホルダ４０にデータロガー１０を装着した瞬間に、ホルダ４０に備えられた専用のスイッチ駆動子５により、データロガー１０のスイッチ２１が押圧されてオンになり、電子回路１１〜１６が動作を開始する。これにより、図１〜図９に示した実施例と同等の作用効果が得られる。
【００３８】
以上、好ましい実施形態を参照して本発明の内容を具体的に説明したが、本発明の基本的技術思想及び教示に基づいて、当業者であれば、種々の変形態様を採り得ることは自明である。
【図面の簡単な説明】
【００３９】
【図１】本発明に係るデータロガーの分解斜視図である。
【図２】図１に示したデータロガーの組立状態における斜視図である。
【図３】図２の部分断面図である。
【図４】データロガーをホルダに組み込む前の状態を示す斜視図である。
【図５】データロガーをホルダに組み込んだデータロガー装置の斜視図である。
【図６】図５に示したデータロガー装置の部分断面図である。
【図７】本発明係るデータロガー装置について、物流管理システムへの適用例を示す図である。
【図８】本発明係るデータロガー装置について、物流管理システムへの適用例を示す図である。
【図９】本発明係るデータロガー装置について、物流管理システムへの適用例を示す図である。
【図１０】本発明に係るデータロガー装置の別の実施例を示す部分断面図である。
【符号の説明】
【００４０】
１０                データロガー
１１〜１３                センサ
１４                メモリ
１５                ＣＰＵ
１６                電池
２１                スイッチ
３１、３２                ケース
４０                ホルダ
５                スイッチ駆動子
【図１】
2007170847.tif 000003
【図２】
2007170847.tif 000004
【図３】
2007170847.tif 000005
【図４】
2007170847.tif 000006
【図５】
2007170847.tif 000007
【図６】
2007170847.tif 000008
【図７】
2007170847.tif 000009
【図８】
2007170847.tif 000010
【図９】
2007170847.tif 000011
【図１０】
2007170847.tif 000012